(57)【要約】      （修正有）【課題】就寝者が直接接触する寝台面を形成するクッション材の取り外しを容易化し、該クッション材の天日干しや洗濯を容易に行うことを可能とする折畳みベッドを提供する。【解決手段】就寝者の上半身が載置される第１の寝台部と、就寝者の下半身が載置される第２の寝台部とが、略逆Ｖ字状に折畳み可能に連結された折畳みベッド１である。第１の寝台部及び第２の寝台部の少なくとも一方は、一端側Ｓ１に支脚部６が固着されたベッド枠体３と、このベッド枠体３に支持されるとともに一端側Ｓ１をベッド枠体３から持ち上げ可能にベッド枠体３に固着されたベースマット４と、ベースマット４に取り外し可能に装着されたトップマット５とを含む。トップマット５は、持ち上げられたベースマット４に一端側Ｓ１から挿入される袋状をなすことによりベースマット４の上下面を覆うとともに、就寝者が接する上面側部にはクッション材を有する。【選択図】図１
0003156383.tif 000002
【実用新案登録請求の範囲】
【請求項１】
就寝者の上半身が載置される第１の寝台部と、就寝者の下半身が載置される第２の寝台部とが、略逆Ｖ字状に折畳み可能に連結された折畳みベッドであって、
前記第１の寝台部及び第２の寝台部の少なくとも一方は、
一端側に支脚部が固着されたベッド枠体と、このベッド枠体に支持されるとともに前記一端側をベッド枠体から持ち上げ可能にベッド枠体に固着されたベースマットと、前記ベースマットに取り外し可能に装着されたトップマットとを含み、
前記トップマットは、持ち上げられた前記ベースマットに前記一端側から挿入される袋状をなすことにより前記ベースマットの上下面を覆うとともに、就寝者が接する上面側部にはクッション材を有することを特徴とする折畳みベッド。
【請求項２】
前記第１の寝台部及び第２の寝台部の各々が、前記ベッド枠体と、前記ベースマットと、前記トップマットとを含む請求項１記載の折畳みベッド。
【請求項３】
前記トップマットのクッション材は、吸湿性を有する一方、前記ベースマットは非吸湿の樹脂シートを含む請求項１又は２記載の折畳みベッド。
【請求項４】
前記トップマットは、前記クッション材を有する上面側部と、前記ベースマットの下面を覆う下面側部とを含み、
前記上面側部は、前記ベースマットの上面全域を覆うとともに、
前記下面側部は、前記ベースマットの下面の５０％以上を覆う請求項１乃至３のいずれかに記載の折畳みベッド。
【請求項５】
前記第１の寝台部と、前記第２の寝台部とは、小長さの中間寝台部に枢着されるとともに、
前記中間寝台部は、中間支脚部が固着された中間ベッド枠体と、この中間ベッド枠体に固着された中間ベースマットと、前記中間ベースマットに取り外し可能に装着された中間トップマットとを含み、
前記中間ベースマットの上面には、面ファスナの一方のファスナ材が固着されるとともに、前記中間トップマットの下面には前記一方のファスナ材に係合して該中間トップマットを中間ベースマット上に固定する他方のファスナ材が固着される請求項１乃至４のいずれかに記載の折畳みベッド。
【請求項６】
前記トップマットの上面側部には、前記中間ベースマットの上面にのび、かつ前記中間ベースマットの前記一方のファスナ材に係合する他方のファスナ材を有する複数の帯状体が取付けられる請求項５に記載の折畳みベッド。
【請求項７】
前記一方のファスナ材は、中間ベースマットの上面をその幅方向にのびている請求項５又は６記載の折畳みベッド。
【請求項８】
前記ベースマットは、金属製の下地枠と、その上面に固着された軟質の樹脂シートと、これらを包囲する表面カバーとを含むとともに、
前記クッション材は、前記樹脂シートよりも軟質の繊維層又は発泡樹脂からなる請求項１乃至７のいずれかに記載の折畳みベッド。
【請求項９】
前記第１の寝台部と、前記第２の寝台部とは、小長さの中間寝台部に枢着されるとともに、
前記中間寝台部は、中間支脚部が固着された中間ベッド枠体と、この中間ベッド枠体に固着された中間ベースマットと、前記中間ベースマットに載置されかつ下面に釦が取り付けられた中間トップマットとを含み、
前記トップマットの前記上面側部には、前記中間ベースマットと前記中間トップマットとの間にのび、かつ前記釦に係合する延長シートが設けられる請求項１乃至４に記載の折畳みベッド。
【考案の詳細な説明】
【技術分野】
【０００１】
本考案は、就寝者が直接接触する寝台面を形成するクッション材の取り外しを容易化し、該クッション材の天日干しや洗濯を容易に行うことが可能な折畳みベッドに関する。
【背景技術】
【０００２】
従来、図１１（ａ）に示されるように、利用者の上半身側が載置されるマット体ｃ１が固定される第１のベッド枠体ｂ１と、利用者の下半身側が載置されるマット体ｃ２が固定される第２のベッド枠体ｂ２とが同図（ｂ）のように、略逆Ｖ字状に折り畳み可能に連結された折畳みベッドａが知られている（例えば、下記特許文献１参照）。このような折畳みベッドａは、コンパクトに折り畳んで収納できるので、部屋のスペースを有効に活用できる。
【０００３】
【特許文献１】特開２００５−１５２２３４号公報
【考案の概要】
【考案が解決しようとする課題】
【０００４】
ところで、マット体ｃ１、ｃ２は、就寝者が直接接触する寝台面を形成するため、汗等による汚損が生じる場合があるため、取り外して洗濯することや、マット体ｃ１、ｃ２の内部の湿気を乾燥させるために、天日干しによる日光消毒が望まれる。
【０００５】
しかしながら、この種の折畳みベッドａは、コストを極力下げて廉価に販売されるものであるため、マット体ｃ１、ｃ２は、通常、それぞれ各ベッド枠体ｂ１、ｂ２に固定されており、工具なしで簡単に取り外すことはできない。従って、従来の折畳みベッドａでは、マット体ｃ１、ｃ２の洗濯や天日干しを頻繁にかつ容易に行うことができないという問題があった。
【０００６】
本考案は、以上のような実状に鑑み案出されたもので、就寝者が直接接触する寝台面を形成するトップマットを、ベースマットから着脱自在に構成することを基本として、該トップマットの洗濯や天日干しによる乾燥を頻繁にかつ容易に行うことが可能な折畳みベッドを提供することを主たる目的としている。
【課題を解決するための手段】
【０００７】
本考案のうち請求項１記載の考案は、就寝者の上半身が載置される第１の寝台部と、就寝者の下半身が載置される第２の寝台部とが、略逆Ｖ字状に折畳み可能に連結された折畳みベッドであって、前記第１の寝台部及び第２の寝台部の少なくとも一方は、一端側に支脚部が固着されたベッド枠体と、このベッド枠体に支持されるとともに前記一端側をベッド枠体から持ち上げ可能にベッド枠体に固着されたベースマットと、前記ベースマットに取り外し可能に装着されたトップマットとを含み、前記トップマットは、持ち上げられた前記ベースマットに前記一端側から挿入される袋状をなすことにより前記ベースマットの上下面を覆うとともに、就寝者が接する上面側部にはクッション材を有することを特徴とする。
【０００８】
また、請求項２記載の考案は、前記第１の寝台部及び第２の寝台部の各々が、前記ベッド枠体と、前記ベースマットと、前記トップマットとを含む請求項１記載の折畳みベッドである。
【０００９】
また、請求項３記載の考案は、前記トップマットのクッション材は、吸湿性を有する一方、前記ベースマットは非吸湿の樹脂シートを含む請求項１又は２記載の折畳みベッドである。
【００１０】
また、請求項４記載の考案は、前記トップマットは、前記クッション材を有する上面側部と、前記ベースマットの下面を覆う下面側部とを含み、前記上面側部は、前記ベースマットの上面全域を覆うとともに、前記下面側部は、前記ベースマットの下面の５０％以上を覆う請求項１乃至３のいずれかに記載の折畳みベッドである。
【００１１】
また、請求項５記載の考案は、前記第１の寝台部と、前記第２の寝台部とは、小長さの中間寝台部に枢着されるとともに、前記中間寝台部は、中間支脚部が固着された中間ベッド枠体と、この中間ベッド枠体に固着された中間ベースマットと、前記中間ベースマットに取り外し可能に装着された中間トップマットとを含み、前記中間ベースマットの上面には、面ファスナの一方のファスナ材が固着されるとともに、前記中間トップマットの下面には前記一方のファスナ材に係合して該中間トップマットを中間ベースマット上に固定する他方のファスナ材が固着される請求項１乃至４のいずれかに記載の折畳みベッドである。
【００１２】
また、請求項６記載の考案は、前記トップマットの上面側部には、前記中間ベースマットの上面にのび、かつ前記中間ベースマットの前記一方のファスナ材に係合する他方のファスナ材を有する複数の帯状体が取付けられる請求項５に記載の折畳みベッドである。
【００１３】
また、請求項７記載の考案は、前記一方のファスナ材は、中間ベースマットの上面をその幅方向にのびている請求項５又は６記載の折畳みベッドである。
【００１４】
また、請求項８記載の考案は、前記ベースマットは、金属製の下地枠と、その上面に固着された軟質の樹脂シートと、これらを包囲する表面カバーとを含むとともに、前記クッション材は、前記樹脂シートよりも軟質の繊維層又は発泡樹脂からなる請求項１乃至７のいずれかに記載の折畳みベッドである。
【００１５】
また、請求項９記載の考案は、前記第１の寝台部と、前記第２の寝台部とは、小長さの中間寝台部に枢着されるとともに、前記中間寝台部は、中間支脚部が固着された中間ベッド枠体と、この中間ベッド枠体に固着された中間ベースマットと、前記中間ベースマットに載置されかつ下面に釦が取り付けられた中間トップマットとを含み、前記トップマットの前記上面側部には、前記中間ベースマットと前記中間トップマットとの間にのび、かつ前記釦に係合する延長シートが設けられる請求項１乃至４に記載の折畳みベッドである。
【考案の効果】
【００１６】
請求項１に記載の折畳みベッドは、就寝者の上半身が載置される第１の寝台部、及び就寝者の下半身が載置される第２の寝台部の少なくとも一方は、一端側に支脚部が固着されたベッド枠体と、このベッド枠体に支持されるとともに一端側をベッド枠体から持ち上げ可能にベッド枠体に固着されたベースマットと、ベースマットに取り外し可能に装着されたトップマットとを含む。
【００１７】
このトップマットは、持ち上げられたベースマットに一端側から挿入される袋状をなすことによりベースマットの上下面を覆うとともに、就寝者が接する上面側部にはクッション材を有する。このように、トップマットを、ベースマットから取り外すことにより、就寝者が直接接触して汗等によって汚損したクッション材を容易に取り外すことができ、クッション材ごと洗濯や天日干しを頻繁にかつ容易に行うことができる。
【００１８】
また、請求項２に記載の折畳みベッドは、第１の寝台部及び第２の寝台部の各々が、前記ベッド枠体とベースマットとトップマットとを含むので、よりメンテナンス性及びカスタマイズ性を向上させうる。また、請求項３記載の折畳みベッドは、トップマットのクッション材は吸湿性を有する一方、ベースマットは非吸湿の樹脂シートを含む。従って、ベースマットは、就寝者の汗等を吸収して汚損することがないため、洗濯及び天日干しを行なう必要がなく、メンテナンス性を向上しうる。
【００１９】
また、請求項４に記載の折畳みベッドは、トップマットが、クッション材を有する上面側部と、ベースマットの下面を覆う下面側部とを含み、上面側部は、ベースマットの上面全域を覆うとともに、下面側部は、ベースマットの下面の５０％以上を覆う。従って。トップマットは、ベースマットに容易に装着、又は取り外しうる。
【００２０】
また、請求項５に記載の折畳みベッドは、第１の寝台部と、第２の寝台部とが、小長さの中間寝台部に枢着されるとともに、中間寝台部は、中間支脚部が固着された中間ベッド枠体と、この中間ベッド枠体に固着された中間ベースマットと、中間ベースマットに取り外し可能に装着された中間トップマットとを含む。この中間ベースマットの上面には、面ファスナの一方のファスナ材が固着されるとともに、中間トップマットの下面には一方のファスナ材に係合して該中間トップマットを中間ベースマット上に固定する他方のファスナ材が固着される。従って、折畳みベッドは、中間トップマットも、中間ベースマットに容易に取り付け、及び取り外しができ、そのクッション材ごと洗濯や天日干しを行なうことができる。
【００２１】
また、請求項６に記載の折畳みベッドは、トップマットの上面側部に、中間ベースマットの上面にのび、かつ中間ベースマットの一方のファスナ材に係合する他方のファスナ材を有する複数の帯状体が取付けられるので、トップマットの位置ズレや、抜け落ちを効果的に抑制しうる。また、請求項７に記載の折畳みベッドは、一方のファスナ材が、中間ベースマットの上面をその幅方向にのびているので、帯状体を中間ベースマットの幅方向の広範囲に亘って固着でき、トップマットの位置ズレや抜け落ちを効果的に抑制しうる。
【００２２】
また、請求項８に係る折畳みベッドは、ベースマットが、金属製の下地枠と、その上面に固着された軟質の樹脂シートと、これらを包囲する表面カバーとを含むとともに、クッション材は、樹脂シートよりも軟質の繊維層又は発泡樹脂からなる。従って、トップマットは、就寝者の体圧を吸収し、快適な睡眠をとることができる。
【００２３】
また、請求項９に係る折畳みベッドは、トップマット上面側部に、中間ベースマットと中間トップマットとの間にのび、かつ中間トップマットの下面に固着される釦に係合する延長シートが設けられるので、トップマットの位置ズレや抜け落ちを効果的に抑制しうる。しかも、中間トップマットは、トップマットに連結されるので、ファスナ材等を設けることなく、中間ベースマット上に安定して取付けられる。トップマットは、ファスナ材を用いることなくベースマットに取り付けられるので、折畳みベッドの構造を簡略化でき、製造コストを抑えつつ、メンテナンス性を向上しうる。
【図面の簡単な説明】
【００２４】
【図１】本考案のベッドの一実施形態を示す分解斜視図である。
【図２】その展開状態の側面図である。
【図３】その展開状態の平面図である。
【図４】その収納状態の側面図である。
【図５】ベースマットを拡大して示す斜視図である。
【図６】第１のトップマットを拡大して示す斜視図である。
【図７】トップマットがベースマットに装着される状態を示す側面図である。
【図８】ファスナ材によって固着される中間ベースマット部及び中間トップマットを示す斜視図である。
【図９】他の実施形態の帯状体を拡大して示す斜視図である。
【図１０】他の実施形態のベッドを示す斜視図である。
【図１１】（ａ）は従来の折畳みベッドの展開状態を示す側面図、（ｂ）はその収納状態を示す側面図である。
【考案を実施するための形態】
【００２５】
以下、本考案の実施の一形態が図面に基づき説明される。
図１〜３に示されるように、折畳みベッド（以下、単に「ベッド」ということがある。）１は、就寝者の上半身が主に載置される第１の寝台部２Ａと、就寝者の下半身が主に載置される第２の寝台部２Ｂとが、水平に展開される展開状態と、図４に示される略逆Ｖ字状に折り畳まれる収納状態との間で、折り畳み可能に連結される。また、本実施形態のベッド１では、第１の寝台部２Ａと第２の寝台部２Ｂとが、就寝者の腰部が主に載置される小長さの中間寝台部２Ｃに夫々枢着される。
【００２６】
図１、図２に示されるように、前記第１の寝台部２Ａ及び前記第２の寝台部２Ｂの少なくとも一方、本実施形態では、第１、第２の寝台部２Ａ、２Ｂの各々が、一端側Ｓ１に支脚部６が固着されたベッド枠体３と、該ベッド枠体３に支持されるベースマット４と、該ベースマット４に取り外し可能に装着されたトップマット５とを含んで構成される。
【００２７】
本実施形態のベッド枠体３は、第１の寝台部２Ａを構成しかつ一端側Ｓ１に第１の支脚部６Ａが固着される第１のベッド枠体３Ａと、第２の寝台部２Ｂを構成しかつ一端側Ｓ１に第２の支脚部６Ｂが固着される第２のベッド枠体３Ｂとを含む。
【００２８】
また、前記ベースマット４は、第１のベッド枠体３Ａに支持される第１のベースマット４Ａと、第２のベッド枠体３Ｂに支持される第２のベースマット４Ｂとを含んで構成される。さらに、前記トップマット５は、第１のベースマット４Ａに装着される第１のトップマット５Ａと、第２のベースマット４Ｂに装着される第２のトップマット５Ｂとを含んで構成される。
【００２９】
このように、本実施形態の第１の寝台部２Ａは、第１のベッド枠体３Ａ、第１のベースマット４Ａ、及び第１のトップマット５Ａを含んで構成される。また、第２の寝台部２Ｂは、第２のベッド枠体３Ｂ、第２のベースマット４Ｂ、及び第２のトップマット５Ｂを含んで構成される。
【００３０】
前記第１のベッド枠体３Ａは、前記展開状態において、例えば、ベッド幅方向両側で、ベッド長さ方向にのびる一対の縦材１１、１１と、該縦材１１、１１を一端側Ｓ１で継ぐ横材１２とを含んで形成される。また、縦材１１、１１間には、適宜の補強フレーム材（図示省略）が架設されてもよい。また、本実施形態では、一端側Ｓ１の横材１２に、逆Ｕ字状の宮状枠１０が固着される。
【００３１】
本実施形態の第１の支脚部６Ａは、第１のベッド枠体３Ａの一端側Ｓ１において、ベッド幅方向の両側に固着される一対のＬ字枠７、７と、該Ｌ字枠７、７間をベッド幅方向に連結する継材８と、該継材８のベッド幅方向の略中心位置で固着される補助脚９とから構成される。
【００３２】
このＬ字枠７は、図２に示されるように、上端が第１のベッド枠体３Ａに枢支されて上下にのびる支柱部１３と、該支柱部１３の下端から一端側Ｓ１へ折れ曲がる延長部１４と、該延長部１４の下端に固着されるキャスター１５とを含んで構成される。
【００３３】
また、補助脚９は、上端が継材８に固着されて上下にのびるとともに、下方が他端側Ｓ２へ折れ曲がるＬ字片１９と、このＬ字片の下端に固着されるキャスター２０とを含んで構成される。このような第１の支脚部６Ａは、ベッド長さ方向の比較的広範囲に亘って接地でき、ベッド１を展開状態から収納状態へ安定して折り畳むのに役立つ。
【００３４】
本実施形態の第１のベースマット４Ａは、図５に示されるように、金属製かつ矩形状の枠体からなる第１の下地枠１６Ａと、その第１の下地枠１６Ａの上面に固着された軟質の樹脂シート１７と、該第１の下地枠１６Ａ及び樹脂シート１７を包囲する表面カバー１８とを含んで構成される。
【００３５】
本実施形態の第１の下地枠１６Ａは、一端側Ｓ１に配される一方のフレーム材２１と、他端側Ｓ２に配される他方のフレーム材２２とが、該一方のフレーム材２１を起倒させるリクライニング機構２３を介して連結されて構成される。一方のフレーム材２１及び他方のフレーム材２２は、それぞれコ字状の枠体からなり、樹脂シート１７を安定して支持するために、第１の下地枠１６Ａが囲む空間内に、例えば桟材やネット材等の保持具２４が固定される。
【００３６】
前記リクライニング機構２３は、例えば、ラチェット式のものであって、図７に示されるように、一方のフレーム材２１を所定の傾斜角度で保持することができる。また、他方のフレーム材２２は、例えば、ボルト等の固着具を介して、第１のベッド枠体３Ａの他端側Ｓ２に水平状態で固着される。これにより、第１のベースマット４Ａは、一方のフレーム材２１の起倒によって、その一端側Ｓ１を第１のベッド枠体３Ａから持ち上げ可能に固着される。
【００３７】
前記樹脂シート１７は、図５に示されるように、例えば、その厚さが５〜１０mm程度、かつ第１の下地枠１６Ａの上面よりもわずかに大きな面積を有する平面視略矩形状に形成される。また、樹脂シート１７は、例えば、接着剤やボルト等を使用して第１の下地枠１６Ａに固着される。樹脂シート１７と第１の下地枠１６Ａとの間には、第１のベースマット４Ａの耐久性を高めるために、該樹脂シート１７よりも薄手（例えば、厚さが１〜４mm）の綿シート（図示省略）を介して固着されても良い。
【００３８】
また、樹脂シート１７には、例えば、ポリエチレン、ポリ塩化ビニル、又はポリウレタン等の軟質かつ非吸湿性のシート材が好適に選択できる。このような軟質の樹脂シート１７は、図７に示されるように、一方のフレーム材２１の起倒に追従して柔軟に屈曲しうる。
【００３９】
本実施形態の表面カバー１８は、図５に示されるように、樹脂シート１７と第１の下地枠１６Ａとが一体となった状態で、これらの外表面の一部又は全域を包囲する布材からなる。
【００４０】
前記第１のトップマット５Ａは、図２に示されるように、第１のベースマット４Ａの上面を覆う上面側部２６と、該第１のベースマット４Ａの下面を覆う下面側部２７とを含んで構成される。
【００４１】
図６には、上面側部２６と下面側部２７とを逆転させた状態の第１のベースマットが示される。本実施形態の上面側部２６は、図６に示されるように、第１のベースマット４Ａよりも軟質かつ就寝者の体圧を吸収するクッション材２８と、該クッション材２８を包囲するシーツ状カバー２９とを含んで構成される。また、上面側部２６は、第１のベースマット４Ａの上面全域を覆う大きさに形成される。これにより、第１のトップマット５Ａが、就寝者が直接接触する寝台面を形成する。また、上面側部２６の上面には、例えば、内部のクッション材の位置ズレを防ぐ止めボタン３５が設けられる。
【００４２】
前記クッション材２８は、例えば、第１のベースマット４Ａの第１の樹脂シート１７（図５に示す）よりも軟質のポリエステル綿、繊維層、又は発泡樹脂等からなり、吸汗性に優れ、かつ洗濯が可能なポリエステル綿が好ましい。
【００４３】
また、本実施形態のシーツ状カバー２９は、クッション材２８の上面側を覆う上カバー部３１、下面側を覆う下カバー部３２、及び該上カバー部３１と該下カバー部３２とをクッション材２８の側面で縫い合わせて連結する縁部３３を含んで構成される。また、上カバー部３１及び下カバー部３２には、吸汗性に優れ、かつ洗濯が可能な布材、例えば、綿等が好適に採用される。
【００４４】
前記下面側部２７は、例えば、第１のベースマット４Ａの下面の５０％以上を覆う大きさを有し、その他端側Ｓ２の縁２７ｅを除く周縁部が前記縁部３３に固着される。これにより、第１のトップマット５Ａは、他端側Ｓ２に開口部３４を有する袋状をなしている。なお、下面側部２７は、例えば、シーツ状カバー２９と同一の材料で形成されるのが好ましい。
【００４５】
次に、本実施形態の第２のベッド枠体３Ｂは、図１、２に示されるように、第１のベッド枠体３Ａと同様に構成され、一対の縦材１１、１１と、横材１２とを含んで形成され、該縦材１１、１１に、就寝者が起き上がり時に把持できる手すり１３、１３が固着されている。また、第２の支脚部６Ｂも、第１の支脚部６Ａと同様に構成され、一対のＬ字枠７、継材８、及び補助脚９から形成される。
【００４６】
前記第２のベースマット４Ｂは、第１のベースマット４Ａと同様に構成され、図５に示されるように、金属製かつ矩形状の枠体からなる第２の下地枠１６Ｂと、樹脂シート１７と、表面カバー１８とを含む。また、本実施形態の第２の下地枠１６Ｂは、他端側Ｓ２に設けられる軸受片２５を介して、第２のベッド枠体３Ｂ（図２に示す）に傾動可能に枢着される。これにより、第２のベースマット４Ｂは、図７に示されるように、一端側Ｓ１を第２のベッド枠体３Ｂから持ち上げ可能に固着される。
【００４７】
前記第２のトップマット５Ｂは、前記第１のトップマット５Ａと同様に構成され、図６に示されるように、第２のベースマット４Ｂの上面を覆う上面側部２６と、該第２のベースマット４Ｂの下面を覆う下面側部２７とを含む。
【００４８】
次に、本実施形態の中間寝台部２Ｃは、図１、図２に示されるように、上下にのびる左右一対の棒状の中間支脚部６Ｃが固着された中間ベッド枠体３Ｃと、この中間ベッド枠体３Ｃに固着された中間ベースマット４Ｃと、中間ベースマット４Ｃに取り外し可能に装着された中間トップマット５Ｃとを含んで構成される。
【００４９】
前記中間ベッド枠体３Ｃは、第１、第２のベッド枠体３Ａ、３Ｂの各縦材１１、１１の他端側Ｓ２をベッド長手方向で枢着する連結金具３６、３６と、該連結金具３６、３６間をベッド幅方向に連結する結合軸部３７とを含んで構成される。この結合軸部３７には、ベッド幅方向の両端部に前記一対の中間支脚部６Ｃ、６Ｃが固着されるとともに、該結合軸部３７から一端側Ｓ１へ突出する一対の突出片３８、３８が設けられる。
【００５０】
前記中間支脚部６Ｃは、前記展開状態において床面に接地し、第１、第２の寝台部２Ａ、２Ｂを略水平に保持する。また、一対の中間支脚部６Ｃ、６Ｃは、ベッド幅方向にのびる支脚軸部４３によって一体に連結補強される。
【００５１】
前記支脚軸部４３と第１のベッド枠体３Ａの横材１２との間、及び支脚軸部４３と第２のベッド枠体３Ｂの横材１２との間には、ベッド枠体３Ａ、３Ｂを折り畳み方向に付勢する弾性手段として引張バネ４５が夫々設けられるのが好ましい。このような引張バネ４５により、ベッド１を展開状態から収納状態へ小さな力で容易に折り畳みうる。
【００５２】
また、第１、第２の支脚部６Ａ、６Ｂの継材８、８と、結合軸部３７との間には、リンク片４６Ａ、４６Ｂが設けられるのが好ましい。このようなリンク片４６Ａ、４６Ｂは、第１、第２の支脚部６Ａ、６Ｂと、第１、第２のベッド枠体３Ａ、３Ｂ、中間支脚部６Ｃとで平行クランク機構を形成し、中間支脚部６Ｃ及び第１、第２の支脚部６Ａ、６Ｂの向きを互いに平行かつ垂直に保持して折り畳みできる。
【００５３】
前記中間ベースマット４Ｃは、第１、第２のベースマット４Ａ、４Ｂと同様に、図５に示されるように、偏平矩形状の中間の下地枠１６Ｃと、その上に保持具２４を介して支持される樹脂シート１７と、これらを包む表面カバー１８とを含む。中間の下地枠１６Ｃには、ベッド長さ方向に継ぐ継材４２が設けられる。この継材４２は、結合軸部３７の突出片３８（図１に示す）にボルト等の固着具などにより固着されることにより、中間ベースマット４Ｃと、中間ベッド枠体３Ｃとが固着される。
【００５４】
また、中間ベースマット４Ｃの上面には、面ファスナ３９の一方のファスナ材３９Ａが、ベッド幅方向、及びベッド長さ方向にそれぞれのびている。
【００５５】
前記中間トップマット５Ｃは、第１、第２のトップマット５Ａ、５Ｂの上面側部２６と同様に構成される。即ち、図１、図８に示されるように、中間トップマット５Ｃは、中間のクッション材２８と、このクッション材２８を覆うシーツ状カバー２９とを含む。また、中間トップマット５Ｃの下面には、中間ベースマット４Ｃの一方のファスナ材３９Ａに係合する他方のファスナ材３９Ｂが固着される。図８では、中間トップマット５Ｃの下面を、上に向けているものが示されている。
【００５６】
以上のように構成された本実施形態のベッド１では、図７に示されるように、第１のベースマット４Ａの一端側Ｓ１を、リクライニング機構２３（図５に示す）により持ち上げ保持した状態で、第１のトップマット５Ａを、その開口部３４から該第１のベースマット４Ａの一端側Ｓ１から嵌め込むことにより装着できる。また、第１のトップマット５Ａは、前記持ち上げられた状態で、ベースマット４Ａの一端側Ｓ１へ引き抜かれることにより、第１のベースマット４Ａから容易に取り外しうる。第２のトップマット５Ｂは、第１のトップマット５Ａと同様に、第２のベースマット４Ｂに容易に装着、及び取り外すことができる。
【００５７】
さらに、中間トップマット５Ｃは、一方、他方のファスナ材３９Ａ、３９Ｂを互いに係合させることにより、中間ベースマット４Ｃに容易に装着できる。また、中間トップマット５Ｃは、一方、他方のファスナ材３９Ａ、３９Ｂの係合が解かれることにより、中間ベースマット４Ｃから容易に取り外しうる。
【００５８】
このように、本実施形態のベッド１は、就寝者を直接接触して汗等によって汚損されたクッション材２８を含むトップマット５を、ベースマット４から容易に取り外すことができる。これにより、クッション材２８だけを洗濯や天日干しできる。また、ベッド１は、老朽化したトップマット５のみを容易に交換でき、メンテナンス性を向上しうる。さらに、ベッド１は、使用者の好みにより、トップマット５のデザインや、クッション材２８の硬さなどを選択することができ、カスタマイズ性を向上しうる。なお、ベースマット４は、非吸湿性の樹脂シート１７からなるとともに、就寝者と直接接触しないため、汚損や吸湿のおそれはない。
【００５９】
また、本実施形態のベッド１には、図６及び図８に示されるように、第１、第２のトップマット５Ａ、５Ｂの上面側部２６、２６の各々に、中間ベースマット４Ｃの上面にのび、かつ一方、又は他方のファスナ材４９Ａ、４９Ｂによって取り外し可能に係合される複数の第１の帯状体４８Ａ及び第２の帯状体４８Ｂが設けられるのが好ましい。
【００６０】
このような第１、第２の帯状体４８Ａ、４８Ｂは、互いに係合することにより、例えば、就寝者の寝返りや、略逆Ｖ字状に折り畳まれる収納状態において、第１、第２のトップマット５Ａ、５Ｂの位置ズレや、抜け落ちを効果的に抑制しうる。しかも、本実施形態では、第１、第２の帯状体４８Ａ、４８Ｂが、中間ベースマット４Ｃと中間トップマット５Ｃとの間で挟まれるため、その係合力をさらに高めることができる。
【００６１】
また、第１、第２の帯状体４８Ａ、４８Ｂは、図９に示されるように、中間ベースマット４Ｃの一方のファスナ材３９Ａに係合する他方のファスナ材３９Ｂを有するものでもよい。本実施形態では、第１、第２の帯状体４８Ａ、４８Ｂがベッド幅方向で交互に配されている。このような第１、第２の帯状体４８Ａ、４８Ｂも、第１、第２のトップマット５Ａ、５Ｂの位置ズレを抑制できる。また、一方のファスナ材３９Ａは、中間ベースマット４Ｃの上面をその幅方向にのびるのが好ましい。これにより、一方のファスナ材３９Ａは、中間ベースマット４Ｃの幅方向の広範囲に亘って、第１、第２の帯状体４８Ａ、４８Ｂを固着できるので、第１、第２のトップマット５Ａ、５Ｂの位置ズレや抜け落ちを効果的に抑制しうる。
【００６２】
図１０には、さらに他の実施形態のベッド１が示され、中間トップマット５Ｃの下面を、上に向けているものが示されている。この実施形態のベッド１は、第１、第２のトップマット５Ａ、５Ｂの上面側部２６、２６の各々に、第１、第２の帯状体４８Ａ、４８Ｂに代えて、各他端側Ｓ２から中間ベースマット４Ｃと中間トップマット５Ｃとの間にのび、かつ中間トップマット５Ｃの下面に設けられる釦５１に取り外し可能に係合される延長シート５３Ａ、５３Ｂが設けられている。
【００６３】
このような延長シート５３Ａ、５３Ｂは、その厚さ方向に貫通する孔部５２を介して、中間トップマット５Ｃの釦５１と係合し、第１、第２のトップマット５Ａ、５Ｂが連結されるため、第１、第２のトップマット５Ａ、５Ｂの一端側Ｓ１への位置ズレ等を確実に抑制しうる。しかも、中間トップマット５Ｃは、延長シート５３Ａ、５３Ｂを介して、第１、第２のトップマット５Ａ、５Ｂに連結されるので、ファスナ材等を設けることなく、中間ベースマット４Ｃ上に、安定して取り付けられる。このように、本実施形態のトップマット５は、ファスナ材を用いることなく、ベースマット４に取り付けられるので、ベッド１の構造の簡略化でき、製造コストを抑えつつ、メンテナンス性を向上しうる。
【００６４】
以上、本考案の特に好ましい実施形態について詳述したが、本考案は図示の実施形態に限定されることなく、種々の態様に変形して実施しうる。
【符号の説明】
【００６５】
１    折畳みベッド
２Ａ  第１の寝台部
２Ｂ  第２の寝台部
３    ベッド枠体
４    ベースマット
５    トップマット
６    支脚部
２６    上面側部
２８    クッション部
【図１】
0003156383.tif 000003
【図２】
0003156383.tif 000004
【図３】
0003156383.tif 000005
【図４】
0003156383.tif 000006
【図５】
0003156383.tif 000007
【図６】
0003156383.tif 000008
【図７】
0003156383.tif 000009
【図８】
0003156383.tif 000010
【図９】
0003156383.tif 000011
【図１０】
0003156383.tif 000012
【図１１】
0003156383.tif 000013